(57)【要約】【課題】ベースブラケットの高さを確保できない場合でも建調用ブラケットをスポット溶接でベースブラケットに結合でき、さらにエンジンルーム内に進入する雨水等の排水経路を改善できる自動車の前部車体構造を提供する。【解決手段】アッパメンバ３を、エプロンメンバ３に溶接固定されるベースブラケット８と、該ベースブラケット８に溶接固定され、フェンダパネル５及びヒンジブラケット１２が取り付けられる建調用ブラケット９とで構成し、前記ベースブラケット８及び建調用ブラケット９を、車両前後方向に延びると共に横断面視で上方に開口する凹形状をなすものとし、前記建調用ブラケット９を前記ベースブラケット８の上部に挿入し、該両ブラケット８，９の上縁フランジ部８ａ，９ａ同士をスポット溶接により固定した。【選択図】図３
2015182551.tif 000002
【特許請求の範囲】
【請求項１】
エンジンルームの側部に配設されるエプロンメンバの上面に、フェンダパネル及び／又はヒンジブラケットを取り付けるためのアッパメンバが固定された自動車の前部車体構造において、
前記アッパメンバは、前記エプロンメンバに溶接固定されるベースブラケットと、該ベースブラケットに溶接固定され、前記フェンダパネル及びヒンジブラケットが取り付けられる建て付け調整用ブラケット（以下、建調用ブラケットと記す）とで構成されており、
前記ベースブラケット及び建調用ブラケットは車両前後方向に延びると共に横断面視で上方に開口する凹形状をなしており、前記建調用ブラケットは前記ベースブラケットの上部に挿入され、該両ブラケットの上縁部同士がスポット溶接により固定されている
ことを特徴としている。
【発明の詳細な説明】
【技術分野】
【０００１】
本発明は、エンジンルームの側部を構成するエプロンメンバ上にフェンダパネルやフードヒンジを取り付けるためのアッパメンバを配設した自動車の前部車体構造に関し、詳細にはアッパメンバの溶接組立て性及びエンジンルーム内に進入する雨水等の排水経路の改善に関する。
【背景技術】
【０００２】
自動車のエンジンルームの側部には、エプロンメンバと、該エプロンメンバ上に固定されたアッパメンバとが配設され、該アッパメンバ上には、フェンダパネルを取り付けるためのフェンダブラケットやフードヒンジを支持するためのヒンジブラケットが取り付けられている（例えば特許文献１参照）。
【先行技術文献】
【特許文献】
【０００３】
【特許文献１】特開２００９−１０１８４７号公報
【発明の開示】
【発明が解決しようとする課題】
【０００４】
ところで、前記アッパメンバは、前記エプロンメンバに先にスポット溶接により固定されるベースブラケットと、フェンダパネルやフードヒンジの建て付け精度を確保するために前記ベースブラケットに後からスポット溶接により固定される建て付け調整用ブラケット（以下、建調用ブラケットと記す）とで構成される場合がある。
【０００５】
この建調用ブラケットのベースブラケットへのスポット溶接を可能にするためには、前記ベースブラケットに、スポット溶接用ガンの挿入を可能とする大きさのガン挿入開口を形成する必要があり、従ってベースブラケットには前記ガン挿入開口を形成できる程度の高さが必要である。ところが車種によっては、フードの高さを抑える等の要請から、前記ベースブラケットを、スポットガンを挿入可能の高さに設定できない場合がある。
【０００６】
このような場合に、スポット溶接ではなくアーク溶接やCO2ガス溶接あるいはボルト締めにより前記両ブラケットを結合すると、コスト高となり生産性が悪化する問題が生じる。
【０００７】
本発明は、前記従来の実情に鑑みてなされたもので、ベースブラケットの高さを確保できない場合であっても建調用ブラケットをスポット溶接でベースブラケットに結合でき、さらにエンジンルーム内に進入する雨水等の排水経路を改善できる自動車の前部車体構造を提供することを課題としている。
【課題を解決するための手段】
【０００８】
本発明は、エンジンルームの側部に配設されるエプロンメンバの上面に、フェンダパネル及び／又はヒンジブラケットを取り付けるためのアッパメンバが固定された自動車の前部車体構造において、
前記アッパメンバは、前記エプロンメンバに溶接固定されるベースブラケットと、該ベースブラケットに溶接固定され、前記フェンダパネル及びヒンジブラケットが取り付けられる建調用ブラケットとで構成されており、
前記ベースブラケット及び建調用ブラケットは車両前後方向に延びると共に横断面視で上方に開口する凹形状をなしており、前記建調用ブラケットは前記ベースブラケットの上部に挿入され、該両ブラケットの上縁部同士がスポット溶接により固定されていることを特徴としている。
【発明の効果】
【０００９】
本発明に係る前部車体構造によれば、前記ベースブラケット及び建調用ブラケットを共に横断面視で上方に開口する凹形状をなすものとし、前記建調用ブラケットを前記ベースブラケットの上部に挿入配置したので、該両ブラケットの上縁部が共に上方に立ち上がることとなり、ベースブラケットがスポットガンを挿入できない高さのものである場合にも支障なく該両ブラケットの上縁部同士をスポット溶接により固定することができ、コストの増加，生産性の悪化の問題を回避できる。
【００１０】
また前記建調用ブラケットは、車両前後方向に延びると共に上方に開口する凹形状となっているので、ウインドシールドに沿って流下してフロントフェンダ，フロントフード及びヒンジカバー等の割線部分からエンジンルーム内に進入する大量の雨水等をエンジンルーム前部に導いて排水させる樋として機能することが可能であり、アッパメンバ下方付近に配設される各種電装品に水がかかるのを抑制できる。
【図面の簡単な説明】
【００１１】
【図１】本発明の実施例１に係る自動車の前部車体構造のエンジンルーム外方から見た斜視図である。
【図２】前記前部車体構造のエンジンルーム内側から見た模式側面図である。
【図３】前記前部車体構造の模式断面正面図（図２のIII-III線断面図）である。
【図４】前記前部車体構造のフロントフェンダ,フロントフード等の割線と前記アッパメンバとの配置関係を模式的に示す平面図である。
【発明を実施するための形態】
【００１２】
以下、本発明の実施形態を添付図面に基づいて説明する。
【実施例１】
【００１３】
図１ないし図４は本発明の実施例１に係る自動車の前部車体構造を説明するための図である。本実施例において、前，後、左，右とは車両前方から見た場合の前，後、左，右を意味する。
【００１４】
図において、１は自動車の前部に形成されたエンジンルームであり、該エンジンルーム１の左，右側部には、車両前後方向に延び、その後端部がフロントピラー２に溶接固定されたエプロンメンバ３と、該左，右のエプロンメンバ３の上面に配設された左，右のアッパメンバ４と、該アッパメンバ４及び前記エプロンメンバ３を車幅方向外側から覆う左，右のフロントフェンダ５とが配設されている。また左，右の前記フロントフェンダ５，５の上縁部間には、前記エンジンルーム１を開閉するフロントフード６が配設されている。
【００１５】
前記エプロンメンバ３は、インナメンバ３ａとアウタメンバ３ｂとのフランジ部３ｄ，３ｅ同士をスポット溶接により結合してなる横断面矩形状のもので、その上面３ｃは前記フロントピラー２から前方にいくほど低くなる前下がりに傾斜している。このエプロンメンバ３は、車両衝突時の衝突荷重を前記フロントピラー２から車両後方に伝達する機能を有する。
【００１６】
また本実施例では、ワイパ用洗浄液を貯留するウォッシャタンク７が前記左側のエプロンメンバ３の外側面に沿うように配設されており、その外側を前記フロントフェンダ５が覆っている。また、前記ウォッシャタンク７は、その後端部にポンプ駆動用モータ７ａを備えている。
【００１７】
前記アッパメンバ４は、ベースブラケット８と該ベースブラケット８に固定された建付け調整機能を有する建調用ブラケット９とで構成されている。
【００１８】
前記建調用ブラケット９上には、前記フロントフェンダ５を固定するためのフェンダブラケット１０が溶接固定され、また前記フロントフード６を回動可能に支持するためのヒンジブラケット１２がボルト１３ｂにより締め付け固定されている。
【００１９】
前記フェンダブラケット１０は、上方に凸状をなすように折り曲げ形成された板金製のもので、座面１０ａと、該座面１０ａの前，後縁に続いて下方に折り曲げ形成された脚部１０ｂ，１０ｂと、該脚部１０ｂの下端部に前，後に拡がるよう折り曲げ形成された前，後のフランジ部１０ｃ，１０ｃとを有する。
【００２０】
前記座面１０ａに前記フロントフェンダ５の上縁に折り曲げ形成されたフランジ部５ａがボルト１３ａにより締め付け固定されている。また前記前，後のフランジ部１０ｃ，１０ｃが前記建調用ブラケット９の底面９ｂにスポット溶接により固定されている。
【００２１】
前記フェンダブラケット１０は、前記フロントフェンダ５あるいはフロントフード６に上方から衝撃荷重が作用すると、前記脚部１０ｂ部分が座屈変形することにより前記衝撃荷重を吸収する機能を有する。
【００２２】
前記ヒンジブラケット１２は、横断面Ｌ字形状をなす板金製のもので、取付けフランジ部１２ａと、ここから上方に立ち上がるように折り曲げ形成された支持部１２ｂとを有する。前記取付けフランジ部１２ａが前，後のボルト１３ｂ，１３ｂにより前記建調用ブラケット９の底面９ｂに締め付け固定されている。また前記支持部１２ｂの支持孔１２ｃに前記ヒンジ１１の後端部１１ａが回動可能に支持されている。このヒンジ１１は前方に延び、その前端部にフード支持フランジ１１ｂを有し、該支持フランジ１１ｂに前記フロントフード６の後部がボルト締め固定されている。また前記支持部１２ｂとヒンジ１１との連結部上方にはヒンジカバー１４が配設されている。
【００２３】
前記アッパメンバ４を構成する前記ベースブラケット８及び建調用ブラケット９は共に車両前後方向に延び、横断面して前方から見たとき上方に開口する凹形状をなしている。
【００２４】
前記ベースブラケット８は、前記エプロンメンバ３の前下がりに傾斜する上面３ｃ上に配置されスポット溶接により固定されており、従って前下がりに傾斜している。
【００２５】
また前記建調用ブラケット９は、これの底面９ｂが所定高さになるように前記ベースブラケット８の上部内に挿入配置され、該両ブラケット８，９の上縁フランジ部８ａ，９ａ同士を上方から接近させたスポットガンＳＰで溶接することにより前記建調用ブラケット９とベースブラケット８とは結合されている。前記建調用ブラケット９は前記ベースブラケット８と同様に前下がりに傾斜している。
【００２６】
ここで前記建調用ブラケット９の上方には、前記フロントフェンダ５のフロントフード６の縁部同士の隙間からなる割線ａ及び前記建調用ブラケット９，フロントフード６及び前記ヒンジカバー１４の縁部同士の隙間からなる割線ｂが位置している。またこれらの割線ａ，ｂはウインドシールド（図示せず）の下縁近傍に位置している。
【００２７】
本実施例におけるアッパメンバ４の溶接組立に当たっては、先ずベースブラケット８をエプロンメンバ３の上面３ｃにスポット溶接により固定し、次に建調用ブラケット９をベースブラケット８の上部に挿入配置する。そして前記フェンダブラケット１０の座面１０ａやヒンジブラケット１２のヒンジ支持孔１２ｃ等の位置が所定精度内に収まるように建調用ブラケット９の位置を治具等を使用して調整しながら該建調用ブラケット９をベースブラケット８にスポット溶接により結合する。
【００２８】
このときベースブラケット８及び建調用ブラケット９の上縁フランジ部８ａ，９ａが上方を向いているので、スポットガンＳＰを上方から該上縁フランジ部８ａ，９ａに接近させることができ、該両上縁フランジ部８ａ，９ａを支障なく挟持してスポット溶接することができる。
【００２９】
このように本実施例に係る前部車体構造によれば、前記ベースブラケット８及び建調用ブラケット９を共に横断面視で上方に開口する凹形状をなすものとし、前記建調用ブラケット９を前記ベースブラケット８の上部に挿入配置したので、該両ブラケット８，９の上縁フランジ部８ａ，９ａが共に上方に立ち上がることとなり、ベースブラケット８の高さが低く、スポットガンの挿入開口を形成できない場合であっても、両ブラケット８，９の上縁フランジ部８ａ，９ａ部同士を支障なくスポット溶接により固定することができ、コストの増加，生産性の悪化の問題を回避できる。
【００３０】
またウインドシールドに沿って流下する大量の雨水あるいは洗車水は前記フロントフェンダ５，フロントフード６及びヒンジブラケット１４の割線ａ，ｂからエンジンルーム１内に進入することとなる。本実施例では、前記アッパメンバ４が前記割線ａ，ｂの交差する付近の下方に位置しており、しかも該アッパメンバ４の上側に位置する建調用ブラケット９が上方に開口する凹形状をなし、さらに前下がりに傾斜しつつ車両前方に延びているので、前記建調用ブラケット９は、前記進入した雨水等を前方に導き、落下させる樋として機能する。
【００３１】
従って前記アッパメンバ４の下方に配置された電装部品、例えば前記ウォッシャタンク７のモータ７ａに水が係るのを抑制できる。
【符号の説明】
【００３２】
１  エンジンルーム
３  エプロンメンバ
４  アッパメンバ
５  フェンダパネル
８  ベースブラケット
８ａ  ベースブラケットの上縁フランジ（上縁部）
９  建調用ブラケット
９ａ  建調用ブラケットの上縁フランジ（上縁部）
１２  ヒンジブラケット
【図１】
2015182551.tif 000003
【図２】
2015182551.tif 000004
【図３】
2015182551.tif 000005
【図４】
2015182551.tif 000006